(57)【要約】【課題】建物の美観を損なうことなく、ポール５０の取付施工状態における外観上の見映え及び安全性の向上を図る。【解決手段】ポール５０の壁部取付構造は、予め室内壁Ｗの壁面Ｗ１に取り付けられているハンガーフックＨによりポール５０が取付施工されるものである。ハンガーフックＨは、室内壁Ｗの取付穴Ｗ２に挿入されて取付固定されかつ基端面３にネジ穴２が設けられたインサート部材Ｉと、先端側に設けられたネジ部４のネジ穴２との係合によってインサート部材Ｉに一体的に取付可能なフック部材Ｆとを備える。エンドブラケット１０は、基部１２とポール５０（固定ポール２０）の一端部が嵌合可能な嵌合凹部１６とを有し、基部１２において壁面Ｗ１にハンガーフックＨにより取付固定されている。嵌合凹部１６にポール５０の一端部が嵌合されることにより、ポール５０はエンドブラケット１０及びハンガーフックＨにより壁面Ｗ１に取り付けられている。【選択図】図３
2020026636.tif 000002
【特許請求の範囲】
【請求項１】
予め建物の壁部に取り付けられているハンガーフックによりポール状部材が取付施工されるポール状部材の壁部取付構造であって、
上記ハンガーフックは、上記壁部の取付穴に基端部が該壁部の表面に露出した状態で挿入されて取付固定され、かつ基端面に有底状のインサート係合穴部が設けられたインサート部材と、
先端側に上記インサート部材のインサート係合穴部と係合可能なフック係合部が設けられている一方、基端側にフック部が設けられ、該フック係合部の該インサート係合穴部との係合によって該インサート部材に一体的に取付可能なフック部材と、を備え、
基部と、該基部に一体的に形成され、上記ポール状部材の一端部が嵌合可能な嵌合凹部とを有するエンドブラケットが、該基部において上記壁部に上記ハンガーフックにより取付固定されており、
上記エンドブラケットの嵌合凹部に上記ポール状部材の一端部が嵌合されることにより、該ポール状部材は該エンドブラケット及び上記ハンガーフックにより上記壁部に取り付けられていることを特徴とするポール状部材の壁部取付構造。
【請求項２】
請求項１において、
上記エンドブラケットは、上記インサート部材と上記フック部材との間に挟み込まれて取付固定されていることを特徴とするポール状部材の壁部取付構造。
【請求項３】
上記ポール状部材は上下方向に延びていて、
上記ポール状部材の上端部は、上記建物の壁部に、請求項１又は２に記載のポール状部材の壁部取付構造により取付固定された上記エンドブラケットの上記嵌合凹部に嵌合される一方、該ポール状部材の下端部は、建物の床面上に位置する支持部に連結されており、
上記ポール状部材は、上記支持部と上記エンドブラケットとの間に突っ張り状態で挟持されていることを特徴とするポール状部材の支持構造。
【請求項４】
請求項３において、
上記ポール状部材の長さを調整可能な調整部が設けられていることを特徴とするポール状部材の支持構造。
【請求項５】
請求項３又は４において、
上記ポール状部材は、長さ方向に分割された複数の分割ポールが直列に連結されたものであり、
相隣接する上記分割ポール間に、物品又は動物を上載可能な少なくとも１つの棚部が連結されていることを特徴とするポール状部材の支持構造。
【請求項６】
上記建物の壁部に、請求項１又は２に記載のポール状部材の壁部取付構造により複数の上記エンドブラケットが互いに間隔をあけて取付固定され、
上記複数のエンドブラケットの上記嵌合凹部に上記ポール状部材の両端部が嵌合されていることを特徴とするポール状部材の支持構造。
【発明の詳細な説明】
【技術分野】
【０００１】
本発明は、ポール状部材の壁部取付構造及び支持構造に関する。
【背景技術】
【０００２】
建物の壁面を活用する技術として、例えば特許文献１には、マガジン収納領域を形成する線材フレーム取付用のパネルの裏面に面材側のフック片を、壁面に壁面側フック片をそれぞれ固定し、上下の面材側及び壁面側のフック片同士の係合によってパネルを壁面に支持するようにした壁掛けタイプのマガジンラックが開示されている。
【０００３】
特許文献１のマガジンラックは、設置するためにネジ等で壁面に穴をあけることとなる。そのため、マガジンラックが一旦取り付けられると、それを取り外した後にも壁に穴があいたままとなり、取り外した後に建物の美観が損なわれてしまう。それを避けるには、壁面にあいた穴を元通りに埋める修復工事が必要となる。これは、賃貸住宅などのように利用者が変わることが想定されている場合、特に顕著な問題となる。
【０００４】
そこで、本出願人は、先に、特許文献２に示されるハンガーフックを出願している。このハンガーフックによると、予め壁面にインサート部材が埋め込まれているので、利用者は、そのインサート部材にフック部材を着脱するだけで済み、上記の諸問題を一挙に解決することができる。
【先行技術文献】
【特許文献】
【０００５】
【特許文献１】特開平１１−１５５６５８号公報
【特許文献２】特願２０１７−２５４５０８明細書及び図面
【発明の概要】
【発明が解決しようとする課題】
【０００６】
ところで、近年、賃貸住宅では、その室内の壁面を活用する要望が多様化しており、例えば、猫が飛び乗ることができるキャットタワーと呼ばれる猫用遊戯具や観葉植物等を飾ることができる壁掛けタイプのプランター等をポール状部材によって壁面に配置したいという要望がある。
【０００７】
このようなポール状部材は、転倒を防止するために、ポール状部材を室内の天井と床面との間に突っ張らせて設置する方法が考えられる。しかし、この方法では、天井に押板等の突っ張り手段を配設する必要があるため、ポール状部材の取付施工状態における外観上の見映えが劣り、建物の美観が損なわれてしまう。さらに、天井の強度によっては、ポール状部材を天井と床面との間に強く突っ張らせることができず、安全性にも課題がある。
【０００８】
本発明は、かかる点に鑑みてなされたものであり、その目的とするところは、ポール状部材の取付構造に工夫を加えることにより、建物の美観を損なうことなく、ポール状部材の取付施工状態における外観上の見映え及び安全性の向上を図ることにある。
【課題を解決するための手段】
【０００９】
上記の目的を達成するために、本発明では、予め建物の壁部に取り付けられているハンガーフックにより、ポール状部材を壁部に取り付けることとした。
【００１０】
具体的には、第１の発明は、予め建物の壁部に取り付けられているハンガーフックによりポール状部材が取付施工されるポール状部材の壁部取付構造に係り、上記ハンガーフックは、上記壁部の取付穴に基端部が該壁部の表面に露出した状態で挿入されて取付固定され、かつ基端面に有底状のインサート係合穴部が設けられたインサート部材と、先端側に上記インサート部材のインサート係合穴部と係合可能なフック係合部が設けられている一方、基端側にフック部が設けられ、該フック係合部の該インサート係合穴部との係合によって該インサート部材に一体的に取付可能なフック部材と、を備える。
【００１１】
そして、基部と、該基部に一体的に形成され、上記ポール状部材の一端部が嵌合可能な嵌合凹部とを有するエンドブラケットが、該基部において上記壁部に上記ハンガーフックにより取付固定されており、上記エンドブラケットの嵌合凹部に上記ポール状部材の一端部が嵌合されることにより、該ポール状部材は該エンドブラケット及び上記ハンガーフックにより上記壁部に取り付けられていることを特徴とする。
【００１２】
第１の発明では、予め建物の壁部に、本願出願人が先に出願した特願２０１７−２５４５０８号に開示されているハンガーフックが取り付けられている。このハンガーフックにより取付固定されたエンドブラケット及びハンガーフックによりポール状部材が壁部に取り付けられているため、ポール状部材の取付施工状態における外観上の見映えが向上する。このことで、ポール状部材の取付施工状態において建物の美観が損なわれずに保持される。また、ポール状部材の一端部がエンドブラケットの嵌合凹部に嵌合されているため、ポール状部材の取付施工状態における安全性が向上する。さらに、ポール状部材をエンドブラケットと共に取り外した後は、インサート部材にフック部材を一体的に取り付けることでハンガーフックが構成されるため、建物の美観が損なわれずに保持される。以上により、建物の美観を損なうことなく、ポール状部材の取付施工状態における外観上の見映え及び安全性の向上を図ることができる。
【００１３】
第２の発明は、第１の発明において、上記エンドブラケットは、上記インサート部材と上記フック部材との間に挟み込まれて取付固定されていることを特徴とする。
【００１４】
第２の発明では、エンドブラケットの壁部への取付固定が確実になるため、ポール状部材の取付施工状態における安全性がより一層向上する。
【００１５】
第３の発明は、ポール状部材の支持構造に係り、上記ポール状部材は上下方向に延びていて、上記ポール状部材の上端部は、上記建物の壁部に、請求項１又は２に記載のポール状部材の壁部取付構造により取付固定された上記エンドブラケットの上記嵌合凹部に嵌合される一方、該ポール状部材の下端部は、建物の床面上に位置する支持部に連結されており、上記ポール状部材は、上記支持部と上記エンドブラケットとの間に突っ張り状態で挟持されていることを特徴とする。
【００１６】
第３の発明では、第１及び第２の発明の作用効果を奏するポール状部材の支持構造が得られる。具体的には、ポール状部材は、支持部（ポール状部材の下端部）と、建物の天井ではなくエンドブラケット（ポール状部材の上端部）との間に突っ張り状態で挟持されているため、ポール状部材の取付施工状態における安全性が向上する。また、天井に押板等の突っ張り手段を配設する必要がなく、ポール状部材の取付施工状態における外観上の見映えが向上する。以上により、建物の美観を損なうことなく、ポール状部材の取付施工状態における外観上の見映え及び安全性の向上を図ることができる。
【００１７】
第４の発明は、第３の発明において、上記ポール状部材の長さを調整可能な調整部が設けられていることを特徴とする。
【００１８】
第４の発明では、支持部とエンドブラケットとの間におけるポール状部材の突っ張り状態を保持する強度（以下「突っ張り強度」ともいう）を大きくすることで、ポール状部材の取付施工状態における安全性がより一層向上する。
【００１９】
第５の発明は、第３又は第４の発明において、上記ポール状部材は、長さ方向に分割された複数の分割ポールが直列に連結されたものであり、相隣接する上記分割ポール間に、物品又は動物を上載可能な少なくとも１つの棚部が連結されていることを特徴とする。
【００２０】
第５の発明では、ポール状部材を、複数の分割ポールが直列に連結されたものにすることで、相隣接する分割ポール間に少なくとも１つの棚部が連結されている構成にすることができる。
【００２１】
第６の発明は、ポール状部材の支持構造に係り、上記建物の壁部に、請求項１又は２に記載のポール状部材の壁部取付構造により複数の上記エンドブラケットが互いに間隔をあけて取付固定され、上記複数のエンドブラケットの上記嵌合凹部に上記ポール状部材の両端部が嵌合されていることを特徴とする。
【００２２】
第６の発明では、第１及び第２の発明の作用効果を奏するポール状部材の支持構造が得られる。具体的には、ポール状部材の両端部がエンドブラケットの嵌合凹部に嵌合されているため、ポール状部材の取付施工状態における安全性が向上する。また、押板等の突っ張り手段を配設する必要がなく、ポール状部材の取付施工状態における外観上の見映えが向上する。以上により、建物の美観を損なうことなく、ポール状部材の取付施工状態における外観上の見映え及び安全性の向上を図ることができる。
【発明の効果】
【００２３】
以上に説明したように、本発明によれば、建物の美観を損なうことなく、ポール状部材の取付施工状態における外観上の見映え及び安全性の向上を図ることができる。
【図面の簡単な説明】
【００２４】
【図１】図１は、本発明の実施形態１に係るポール（ポール状部材）の支持構造を示す側面図である。
【図２】図２は、ポールの支持構造を示す正面図である。
【図３】図３は、図５のIII−III線断面図である。
【図４】図４は、エンドブラケットの側面図である。
【図５】図５は、エンドブラケットの底面図である。
【図６】図６は、固定ポールの下端部にキャットステップを介して連結ポールの上端部が連結された状態を示す断面図である。
【図７】図７は、支持ポールの下端部にアジャスターが取り付けられた状態を示す断面図である。
【図８】図８は、小型のキャットステップを示す平面図である。
【図９】図９は、大型のキャットステップを示す平面図である。
【図１０】図１０は、床受け部材を示す平面図である。
【図１１】図１１は、本発明の実施形態２に係るポールの支持構造を示す図１相当図である。
【発明を実施するための形態】
【００２５】
以下、本発明を実施するための形態を図面に基づいて説明する。以下の好ましい実施形態の説明は、本質的に例示に過ぎず、本発明、その適用物或いはその用途を制限することを意図するものではない。
【００２６】
＜実施形態１＞
（ポール状部材の壁部取付構造及び支持構造）
図３は、ポール５０（ポール状部材）の壁部取付構造を示す。図３において、Ｗは建物の室内壁であり、この室内壁Ｗの壁面Ｗ１（壁部）の上部に、予めハンガーフックＨが取り付けられている。このハンガーフックＨにより壁面Ｗ１にポール５０が取付施工される。具体的には、ポール５０は、後述するエンドブラケット１０及びハンガーフックＨにより壁面Ｗ１に取り付けられている。
【００２７】
図１及び図２は、ポール５０の支持構造を示す。図１及び図２において、ｆは建物の室内床であり、この床面ｆ１近傍から壁面Ｗ１の上部までポール５０が上下方向に延びている。そして、ポール５０は、床面ｆ１上に位置する床受け部材８３介して支持部（後述するアジャスター７０）と、エンドブラケット１０との間に挟持されて支持されている。
【００２８】
本実施形態におけるポール５０の具体例としては、例えば室内壁Ｗの壁面Ｗ１に取付施工されるキャットタワーＴが挙げられる。本実施形態では、キャットタワーＴを例にして、ポール５０の壁部取付構造及び支持構造を説明する。
【００２９】
図３に示すように、予め建物の室内壁Ｗの壁面Ｗ１に取り付けられているハンガーフックＨは、特願２０１７−２５４５０８号に開示されたハンガーフックと同様のものであり、インサート部材Ｉと、フック部材Ｆと、を備えている。
【００３０】
インサート部材Ｉは、先端側（図３の後側）に形成され、予め室内壁Ｗに穿設された取付穴Ｗ２に対して螺合により取付固定するための雄ネジ１と、基端側（図３の前側）に形成され、フック部材Ｆと係合可能なネジ穴２（インサート係合穴部）と、を有する。インサート部材Ｉは、その基端面３（基端部）が室内壁Ｗの壁面Ｗ１に露出した状態で挿入されて取付固定されている。
【００３１】
なお、室内壁Ｗにおける取付穴Ｗ２を穿設する位置には、その内側に柱等の頑丈な部材が配置されていることが必要であり、インサート部材Ｉは、頑丈な部材にまで到達するように挿入される。これにより、ハンガーフックＨは、頑丈な柱等に強固に支持された状態で室内壁Ｗに取付固定される。
【００３２】
フック部材Ｆは、先端側に形成され、インサート部材Ｉのネジ穴２と螺合締結により係合可能なネジ部４（フック係合部）と、基端側にネジ部４に一体的に形成されたフック部５と、を有する。このフック部材Ｆは、ネジ部４のインサート部材Ｉのネジ穴２との係合によってインサート部材Ｉに一体的に取付可能になっている。
【００３３】
フック部５は、ネジ部４との接続部分において径方向に拡がったフランジ部６を有している。フランジ部６は、エンドブラケット１０の後述するフック孔１４の孔径よりも大きな径で形成されている。
【００３４】
以上のようにして、インサート部材Ｉのネジ穴２にフック部材Ｆのネジ部４が係合したときに、フック部材Ｆとインサート部材Ｉとが一体になり、ハンガーフックＨが構成される。
【００３５】
キャットタワーＴは、図１及び図２に示すように、エンドブラケット１０と、分割ポールとしての固定ポール２０、連結ポール３０，３０，…、及び支持ポール４０と、キャットステップ６０，６０，…（棚部）と、アジャスター７０（支持部及び調整部）と、を少なくとも備える。
【００３６】
エンドブラケット１０は、図３〜図５に示すように、エンドブラケット１０が室内壁Ｗの壁面Ｗ１に取付固定された状態（以下「エンドブラケット１０の取付固定状態」ともいう、図１及び図２参照）において、側面視で略く字状のエンドブラケット本体１１を備えている。
【００３７】
エンドブラケット本体１１は、エンドブラケット１０の取付固定状態において、上方外方に向かって開口する略矩形箱状の基部１２と、基部１２の前側端部に一体的に形成され、下方外方に向かって開口する円状の嵌合凹部１６と、を有する。エンドブラケット１０は、基部１２の開口を覆う略矩形板状の蓋部１８も備えている。
【００３８】
図３に示すように、エンドブラケット本体１１の基部１２における後側端面部１３は、エンドブラケット１０の取付固定状態において室内壁Ｗの壁面Ｗ１に接触する部分である。この基部１２の後側端面部１３の略中央部には、フック部材Ｆのネジ部４が挿通可能で該フック部材Ｆのフランジ部６の外径よりも小さいフック孔１４が形成されている。このフック孔１４に挿通されたフック部材Ｆのネジ部４が、予め室内壁Ｗの取付穴Ｗ２に取付固定されているインサート部材Ｉのネジ穴２と螺合締結することにより、エンドブラケット１０が基部１２において壁面Ｗ１にハンガーフックＨにより取付固定される。換言すると、エンドブラケット１０は、基部１２においてインサート部材Ｉとフック部材Ｆとの間に挟み込まれて取付固定されている。このとき、基部１２のフック孔１４の外周縁部とフック部材Ｆのフランジ部６とが当接することで、エンドブラケット１０がフック部材Ｆ及びインサート部材Ｉ（即ちハンガーフックＨ）により、安定して壁面Ｗ１に取付固定される。なお、このエンドブラケット１０の取付固定状態において、壁面Ｗ１から嵌合凹部１６の中心位置までの長さ（前後長）は、例えば４５〜６５ｍｍである。
【００３９】
フック孔１４の孔径は、フック部材Ｆのネジ部４のネジ径よりも大きく、かつフランジ部６の外径よりも小さくなるように決定すればよく、例えばφ５〜１５ｍｍである。
【００４０】
エンドブラケット１０の嵌合凹部１６は、最上段に配設される分割ポール（即ち固定ポール２０）の上端部（一端部）が嵌合可能に形成されている。嵌合凹部１６の内径は、使用する固定ポール２０の外径に応じて決定すればよいが、例えばφ２５〜４５ｍｍである。嵌合凹部１６の前側側壁の高さは１０〜２０ｍｍ程度、後側側壁の高さは前側側壁の高さと同じかそれよりも低い５〜１０ｍｍ程度に形成されている。これにより、固定ポール２０の上端面から５〜２０ｍｍ程度の部分（上端部）が嵌合凹部１６に挿入されて嵌合される（以下「固定ポール２０の嵌合状態」ともいう）。
【００４１】
また、図５に示すように、嵌合凹部１６の底面（基部１２の前側底壁部）の略中間部には、固定ポール２０を固定するビス（図示省略）が挿通可能なビス孔１７，１７が互いに隙間をあけて２つ形成されている。図３に示すように、このビス孔１７，１７に挿通された２つのビス８０，８０が固定ポール２０の上端部に形成された２つのリード穴２１，２１にそれぞれ螺合締結することにより、固定ポール２０の嵌合状態で固定ポール２０がエンドブラケット１０に固定される。ビス孔１７の穴径は、使用するビス８０の種類に応じて決定すればよいが、例えばφ３〜５ｍｍである。
【００４２】
以上のようにして構成されるポール５０の壁部取付構造によれば、エンドブラケット１０の基部１２の後側端面部１３において室内壁Ｗの壁面Ｗ１にハンガーフックＨにより取付固定される。一方、エンドブラケット１０の嵌合凹部１６にポール５０（固定ポール２０）の上端部が嵌合されて固定される。即ち、固定ポール２０は、エンドブラケット１０及びハンガーフックＨにより壁面Ｗ１に取り付けられている。
【００４３】
なお、エンドブラケット１０は、例えば建物の壁面に取付施工される手摺り用のブラケットとして市販されている樹脂製又は金属製のものを使用又は流用することができる。
【００４４】
分割ポールとしての固定ポール２０（最上段用分割ポール）と、固定ポール２０の下端部に連結可能な３つの連結ポール３０，３０，…（中段用分割ポール）と、連結ポール３０の下端部に連結可能な支持ポール４０（最下段用分割ポール）とは、いずれも同径の丸棒木材からなり、これらは長さ方向（上下方向）に分割された構造を有する。図１及び図２に示すように、５本の分割ポール２０，３０，４０が直列に連結されて、上下方向に延びる１本のポールを構成している（以下単に「ポール５０」ともいう）。
【００４５】
固定ポール２０は、上述のごとく、エンドブラケット１０及びハンガーフックＨにより室内壁Ｗの壁面Ｗ１に取り付けられるものである。図３に示すように、固定ポール２０の上端部におけるエンドブラケット１０の嵌合凹部１６の２つのビス孔１７，１７に対応する位置に、２つのリード穴２１，２１が形成されている。このリード穴２１の穴径及び深さは、使用するビス８０の種類に応じて決定すればよいが、例えば、穴径がφ１〜３ｍｍであり、深さが１０〜３０ｍｍである。一方、図６に示すように、固定ポール２０の下端部には、ナット穴２２が形成されている。このナット穴２２には、無底状の埋込ナット８１が抜け止め状態で回動不能に埋設されている。埋込ナット８１は、例えば（株）ムラコシ精工の商品名「鬼目ナット」（登録商標）等が挙げられる。
【００４６】
連結ポール３０の上下両端部には（図６では上端部のみ図示）、固定ポール２０のナット穴２２と同様のナット穴３１，３１が形成されている。これらのナット穴３１，３１には、埋込ナット８１，８１が抜け止め状態で回動不能にそれぞれ埋設されている。
【００４７】
図７に示すように、支持ポール４０の上下両端部には（図７では下端部のみ図示）、固定ポール２０のナット穴２２及び連結ポール３０のナット穴３１とは深さが異なるナット穴４１，４１が形成されている。これらのナット穴４１，４１には、埋込ナット８１，８１が、その基端面と支持ポール４０の上下両端面とが面一状態、かつ抜け止め状態で回動不能にそれぞれ埋設されている。ナット穴４１，４１は、アジャスター７０によりポール長さを調整するために、その調整可能な長さ分（後述する調整範囲）だけ深く形成されている。
【００４８】
これらの各分割ポール２０，３０，４０は、固定ポール２０の下端部と連結ポール３０の上端部、相隣接する連結ポール３０，３０の上下端部、及び連結ポール３０の下端部と支持ポール４０の上端部が、寸切りボルト８２，８２，…でそれぞれ螺合締結されることにより、直列に連結されて１本のポール５０になる。
【００４９】
各分割ポール２０，３０，４０の長さは、予め室内壁Ｗの壁面Ｗ１に取り付けられているハンガーフックＨの位置に応じて決定すればよいが、例えばポール５０の全長が１８００〜２０００ｍｍの場合、例えば、固定ポール２０は２００〜３００ｍｍ、連結ポール３０は２６０〜３６０ｍｍ、支持ポール４０は６００〜７００ｍｍである。各分割ポール２０，３０，４０の外径は、例えばφ２５〜４５ｍｍである。
【００５０】
固定ポール２０のナット穴２２及び連結ポール３０のナット穴３１の深さは、例えば２０〜３０ｍｍである。また、支持ポール４０のナット穴４１の深さは、アジャスター７０によるポール長さの調整範囲を例えば１０ｍｍとすると、例えば３０〜４０ｍｍである。ナット穴２２，３１，４１の穴径は、使用する埋込ナット８１の外径に応じて決定すればよい。各埋込ナット８１及び各寸切りボルト８２のネジ径は、例えばＭ６〜Ｍ１０である。埋込ナット８１の長さは、例えば１５〜３５ｍｍである。寸切りボルト８２の長さは、ナット穴２２，３１，４１の深さを２倍した長さに、キャットステップ６０の厚さを加算した長さとほぼ同じになるように決定すればよく、例えば７０〜９０ｍｍである。
【００５１】
なお、各分割ポール２０，３０，４０の外周縁には、図示しないが必要に応じて、猫の爪とぎ用の麻縄等が螺旋状に巻き付けられて固定されていてもよい。
【００５２】
キャットステップ６０は、猫（動物）を上載可能な、換言すると猫（動物）が飛び乗ることができる例えば略矩形板状の木材である。図８及び図９に示すように、キャットステップ６０の上面の略中間部には、寸切りボルト８２が挿通可能なボルト孔６１が形成されている。具体的には、図１に示すように、キャットステップ６０の上面におけるキャットタワーＴの取付施工状態でキャットステップ６０の後側側面６２が壁面Ｗ１に接触可能な位置に、ボルト孔６１が形成されている。このボルト孔６１に挿通された寸切りボルト８２を相隣接する各分割ポール２０，３０，４０の埋込ナット８１にそれぞれ螺合締結することにより、相隣接する分割ポール２０，３０，４０の間、具体的には固定ポール２０と連結ポール３０との間、相隣接する連結ポール３０，３０の間、及び連結ポール３０と支持ポールと４０の間に、キャットステップ６０がそれぞれ挟まれて連結される。そして、キャットタワーＴの取付施工状態では、各キャットステップ６０，６０，…の後側側面６２，６２，…が壁面Ｗ１にそれぞれ接触することで、キャットタワーＴ全体のぐらつきが防止されるようになっている。
【００５３】
ボルト孔６１の位置は、キャットステップ６０の大きさや形状に応じて決定すればよいが、例えばキャットタワーＴの取付施工状態で、キャットステップ６０の後側側面６２から６０〜７０ｍｍ前側寄り、かつ左右いずれか一方の側面から６０〜２００ｍｍ内側寄りの位置である。ボルト孔６１の孔径は、例えばφ７〜１１ｍｍ等である。
【００５４】
キャットステップ６０の大きさは、キャットタワーＴの大きさ、高さ等に応じて決定すればよいが、例えば大きさの異なるものを用意してもよい。本実施形態では、大小２種類のものが用いられており、図８に示す小型のキャットステップの大きさは、例えば、縦（キャットタワーＴの取付施工状態における前後長さ）２００〜２６０ｍｍ、横（キャットタワーＴの取付施工状態における左右長さ）２６０〜３６０である。図９に示す大型のキャットステップの大きさは、例えば、縦２００〜２６０ｍｍ、横３６０〜４６０ｍｍである。キャットステップ６０の厚さは、例えば１５〜２５ｍｍである。
【００５５】
また、図９に示すように、例えば大型のキャットステップ６０には、猫が通り抜け可能な抜け孔６３が貫通形成されていてもよい。抜け孔６３の穴径は、例えばφ１００〜２００ｍｍである。抜け孔６３の中心位置は、例えば、縦方向における中央位置、かつボルト孔６１が形成されている左右いずれか一方の側とは反対側の側面から抜け孔６３の穴径の半径に１００ｍｍ程度加算した長さ分だけ内側の位置である。
【００５６】
アジャスター７０は、図７に示すように、下方に向かって外径が徐々に拡がる略円錐台状でかつ室内床ｆの床面ｆ１上に位置する支持部としてのアジャスター本体７１と、アジャスター本体７１の上部に一体的に形成されたボルト部７２と、から構成される。アジャスター７０は、例えば金属部材である。また、アジャスター本体７１の底面には、床面ｆ１（床受け部材８３が介設されている場合は床受け部材８３の上面）との接触抵抗を大きくするために、例えば弾性部材等が配設されていてもよい。
【００５７】
ボルト部７２には、ナット７３が螺合されており、このナット７３を支持ポール４０の下端部に接触するように螺合締結することで、ボルト部７２の埋込ナット８１に対する螺動が規制されて、アジャスター７０の高さ位置（支持ポール４０の下端部の埋込ナット８１に螺合するボルト部７２の長さ）が固定されるようになっている。
【００５８】
アジャスター７０は、ボルト部７２が支持ポール４０の下端部の埋込ナット８１に螺合締結することにより、支持ポール４０の下端部に連結される。これにより、室内床ｆの床面ｆ１上に位置するアジャスター本体７１と、ポール５０（固定ポール２０）の上端部が取付固定されたエンドブラケット１０との間にポール５０が突っ張り状態で挟持されて支持される。換言すると、ポール５０の両端部を、アジャスター７０及びエンドブラケット１０に押しあててささえる（突きあてて押す）ことにより、ポール５０が上下方向（長さ方向）に加圧された状態で挟持される。
【００５９】
また、アジャスター７０は、アジャスター本体７１を回し操作して支持ポール４０の下端部の埋込ナット８１に螺合するボルト部７２の長さを調整することにより、ポール５０の全長が調整可能になっている。このポール５０の全長を調整することで、ポール５０の突っ張り強度の調整が可能になる。即ちアジャスター７０は、本発明の支持部及び調整部を構成する。ポール長さの調整範囲は、例えば１０ｍｍである。この場合、ポール５０の全長を最大で１０ｍｍ伸張させることができる。
【００６０】
なお、アジャスター７０は、一般に市販されているものを使用することができる。アジャスター７０のボルト部７２のネジ径は、例えばＭ６〜Ｍ１０である。ボルト部７２の長さは、例えば４０〜７０ｍｍである。従って、例えば、支持ポール４０のナット穴４１の深さが３５ｍｍ、このナット穴４１に埋設されている埋込ナット８１の長さが２５ｍｍとすると、螺合によりボルト部７２が支持ポール４０に挿入可能な長さは、１５〜３５ｍｍ（センター位置２５ｍｍ）である。換言すると、ポール長さの調整範囲は、センター位置に対して±１０ｍｍである。
【００６１】
また、アジャスター本体７１と室内床ｆの床面ｆ１との間には、床受け部材８３が介設される。これにより、アジャスター本体７１の底面と床面ｆ１との接触面積が大きくなるため、ポール５０の突っ張り状態が安定する。図１０に示すように、床受け部材８３は、例えば略矩形板状の木材であり、縦１００〜２００ｍｍ、横１６０〜２６０ｍｍ、厚さ１５〜２５ｍｍである。なお、アジャスター本体７１と室内床ｆの床面ｆ１との間に床受け部材８３を介在させることは必須ではなく、不要であれば省略してもよい。
【００６２】
以上のようにして構成されるポール５０の支持構造では、ポール５０（固定ポール２０）の上端部は、予め室内壁Ｗの壁面Ｗ１に取り付けられているハンガーフックＨ（即ちポール５０の壁部取付構造）により取付固定されたエンドブラケット１０の嵌合凹部１６に嵌合される。一方、ポール５０（支持ポール４０）の下端部は、室内床ｆの床面ｆ１上に位置するアジャスター７０に連結されている。このことで、ポール５０は、アジャスター７０とエンドブラケット１０との間に突っ張り状態で挟持されて支持されている。
【００６３】
（ポール状部材の壁部取付作業手順）
次に、図３を参照しながら、予め室内壁Ｗの壁面Ｗ１に取り付けられているハンガーフックＨによりポール５０（固定ポール２０）を壁面Ｗ１に取り付ける作業手順を以下に説明する。
【００６４】
準備作業として、まず、エンドブラケット１０の蓋部１８を取り外し、エンドブラケット１０の嵌合凹部１６に固定ポール２０の上端部を嵌合させる。この嵌合状態で、嵌合凹部１６のビス孔１７，１７に挿通させたビス８０，８０を固定ポール２０のリード穴２１，２１に螺合締結する。これにより、エンドブラケット１０が固定されたエンドブラケット付固定ポール２０が組み付けられる。
【００６５】
一方、ハンガーフックＨにおけるフック部材Ｆをインサート部材Ｉから取り外す。このフック部材Ｆが取り外されて壁面Ｗ１に露出したインサート部材Ｉの基端面３にエンドブラケット１０の基部１２における後側端面部１３を接触させる。この接触状態で、フック部材Ｆを後側端面部１３のフック孔１４に挿通させてインサート部材Ｉのネジ穴２に螺合締結する。最後に、エンドブラケット１０の蓋部１８をエンドブラケット本体１１に取り付ける。
【００６６】
以上の工程により、ハンガーフックＨによりエンドブラケット付固定ポール２０を壁面Ｗ１に取付固定することができる。
【００６７】
なお、本工程における準備工程は、最後に行ってもよい。具体的には、上記とは逆に、ハンガーフックＨによりエンドブラケット１０を壁面Ｗ１に取り付けた後に、このエンドブラケット１０に固定ポール２０を固定してもよい。
【００６８】
（ポール状部材の支持作業手順）
次に、図１及び図２を参照しながら、上記のように室内壁Ｗの壁面Ｗ１に取付固定されたエンドブラケット付固定ポール２０にキャットステップ６０を介して各分割ポール３０，４０が連結されたポール５０を、アジャスター７０とエンドブラケット１０の間で支持する作業手順を以下に説明する。
【００６９】
準備段階として、連結ポール３０の一端部の埋込ナット８１に寸切りボルト８２を螺合する。また、支持ポール４０の一端部の埋込ナット８１に寸切りボルト８２を螺合し、他端部の埋込ナット８１にアジャスター７０のボルト部７２を螺合することにより、アジャスター付支持ポール４０を組み付ける。
【００７０】
まず、大型のキャットステップ６０のボルト孔６１に挿通させた第１連結ポール３０の寸切りボルト８２を、エンドブラケット付固定ポール２０の下端部の埋込ナット８１に螺合締結する。同様にして、小型のキャットステップ６０のボルト孔６１に挿通させた第２連結ポール３０の寸切りボルト８２を、第１連結ポール３０の下端部の埋込ナット８１に螺合締結する。さらに抜け孔６３が形成された大型のキャットステップ６０のボルト孔６１に挿通させた第３連結ポール３０の寸切りボルト８２を、第２連結ポール３０の下端部の埋込ナット８１に螺合締結する。
【００７１】
次いで、小型のキャットステップ６０のボルト孔６１に挿通させたアジャスター付支持ポール４０の寸切りボルト８２を、第３連結ポール３０の下端部の埋込ナット８１に螺合締結する。このとき、アジャスター本体７１の底面と室内床ｆの床面ｆ１との間に床受け部材８３を介設する。
【００７２】
最後に、アジャスター付支持ポール４０の下端部に螺合したアジャスター７０のボルト部７２の長さを調整することにより、各分割ポール２０，３０，４０がキャットステップ６０，６０，…を介して直列に連結されたポール５０の全長を調整する。この調整により、ポール５０を、アジャスター７０とエンドブラケット１０との間に突っ張り状態になるように挟持させる。調整後、ナット７３をアジャスター付支持ポール４０の下端部に接触するように螺合締結する。
【００７３】
以上の作業により、アジャスター７０とエンドブラケットの間にポール５０を突っ張り状態で挟持して支持することができる。換言すると、予め室内壁Ｗの壁面Ｗ１に取り付けられているハンガーフックＨにより、キャットタワーＴを壁面Ｗ１に配置することができる。
【００７４】
（効果）
以上のように構成されるキャットタワーＴにおけるポール５０（固定ポール２０）は、予め室内壁Ｗの壁面Ｗ１に取り付けられたハンガーフックＨにより取付固定されたエンドブラケット１０、及びハンガーフックＨにより壁面Ｗ１に取り付けられているため、キャットタワーＴにおけるポール５０の取付施工状態における外観上の見映えが向上する。このことで、ポール５０の取付施工状態において建物の美観が損なわれずに保持される。また、ポール５０（固定ポール２０）の上端部がエンドブラケット１０の嵌合凹部１６に嵌合されているため、ポール５０の取付施工状態における安全性が向上する。さらに、キャットタワーＴを取り外した後は、インサート部材Ｉにフック部材Ｆを一体的に取り付けることでハンガーフックＨが構成されるため、建物の美観が損なわれずに保持される。以上により、建物の美観を損なうことなく、ポール５０の取付施工状態における外観上の見映え及び安全性の向上を図ることができる。
【００７５】
エンドブラケット１０が基部１２においてインサート部材Ｉとフック部材Ｆとの間に挟み込まれて取付固定されることにより、エンドブラケット１０の壁面Ｗ１への取付固定が確実になるため、ポール５０の取付施工状態における安全性がより一層向上する。
【００７６】
ポール５０は、アジャスター７０と、建物の天井ではなくエンドブラケット１０との間に突っ張り状態で挟持されているため、ポール５０の取付施工状態における安全性が向上する。また、天井に押板等の突っ張り手段を配設する必要がなく、ポール５０の取付施工状態における外観上の見映えが向上する。以上により、建物の美観を損なうことなく、ポール５０の取付施工状態における外観上の見映え及び安全性の向上を図ることができる。
【００７７】
ポール長さを調整可能なアジャスター７０により、ポール５０の突っ張り強度を大きくすることができるため、ポール５０の取付施工状態における安全性がより一層向上する。
【００７８】
ポール５０を複数の分割ポール２０，３０，４０が直列に連結されたものにすることで、相隣接する分割ポール２０，３０，４０間に猫を上載可能なキャットステップ６０，６０，…を連結することができる。
【００７９】
＜実施形態２＞
図１１は本発明の実施形態２を示す。本実施形態では、ポール５０の支持構造が異なっているが、その他の点については、実施形態１と同様の構成である。そこで、以下の説明では、実施形態１の構成要素と同様の構成要素については、同じ符号を付し、重複説明を省略する場合がある。
【００８０】
具体的に、本実施形態では、室内壁Ｗの壁面Ｗ１にポール５０の壁部取付構造により２つのエンドブラケット１０，１０が例えば上下方向に互いに間隔をあけて取付固定されている。換言すると、予め壁面Ｗ１の比較的低い位置（例えば床面ｆ１に対して７００〜８００ｍｍ上方の位置）と比較的高い位置（例えば該比較的低い位置に対して５００〜９００ｍｍ上方の位置）に例えば２つのハンガーフックＨ，Ｈが上下方向に並んで取り付けられており、両ハンガーフックＨ，Ｈにより２つのエンドブラケット１０，１０が例えば上下方向に互いに間隔をあけて取付固定されている。これら２つのエンドブラケット１０，１０の嵌合凹部１６，１６に、ポール５０の一端部のみならず両端部がそれぞれ嵌合されることで、ポール５０が支持されており、エンドブラケット１０，１０とポール５０とで手摺りＲが構成されている。その他の構成は、実施形態１と同様である。
【００８１】
従って、本実施形態によれば、実施形態１と同様の効果が得られる。即ち、ポール５０の両端部が２つのエンドブラケット１０，１０の嵌合凹部１６，１６に嵌合されているため、手摺りＲにおけるポール５０の取付施工状態における安全性が向上する。また、押板等の突っ張り手段を配設する必要がなく、ポール５０の取付施工状態における外観上の見映えが向上する。以上により、建物の美観を損なうことなく、ポール５０の取付施工状態における外観上の見映え及び安全性の向上を図ることができる。
【００８２】
なお、ポール５０の長さ、配設方向等は、予め室内壁Ｗの壁面Ｗ１に取り付けられているハンガーフックＨの位置等に応じて決定すればよい。ポール５０の配設方向は、上下方向に限らず、左右水平方向であってもよい。その場合、予め壁面Ｗ１に例えば２つのハンガーフックＨ，Ｈが左右水平方向に並ぶように互いに間隔をあけて取り付けられている必要がある。
【００８３】
＜その他の実施形態＞
上記各実施形態において、フック部材Ｆの代わりに、インサート部材Ｉのネジ穴２に螺合締結により係合可能な通常のボルト（例えばＭ８）をエンドブラケット１０のフック孔１４に挿通させてインサート部材Ｉのネジ穴２に螺合締結することにより、エンドブラケット１０を壁面Ｗ１に取付固定することもできる。
【００８４】
上記各実施形態において、ポール５０（分割ポール２０，３０，４０）は、丸棒木材に限定されず、角棒木材であってもよく、また樹脂部材や金属部材であってもよい。
【００８５】
上記各実施形態１では、長さ方向に分割された分割ポール２０，３０，４０が直列に連結されたポール５０が使用されているが、これに限定されず、キャットステップ６０等が不要な場合には、アジャスター７０とエンドブラケット１０との間に亘って延びる１本のポール５０としてもよい。
【００８６】
上記実施形態１では、キャットステップ６０を有するキャットタワーＴが例示されているが、キャットステップ６０の代わりに、例えば物品としての植物用プランター等を上載可能な棚部を設けてポール状棚としてもよい。
【００８７】
上記実施形態１では、支持ポール４０の下端部にアジャスター７０が連結されているが、これに限定されず、ポール長さを調整できる構造であればよい。また、固定ポール２０と連結ポール３０との間、相隣接する連結ポール３０，３０の間、連結ポール３０と支持ポール４０との間に調整部が設けられていてもよい。また、調整部が設けられていなくてもよい。但し、ポール５０の突っ張り強度、換言するとキャットタワーＴの耐荷重を向上させる観点から、調整部が設けられていることが好ましい。
【００８８】
上記実施形態２では、手摺りＲの取付施工状態において、室内壁Ｗの壁面Ｗ１に、上下方向に直線状に延びるＩ型構造のポール５０がハンガーフックＨにより取付施工されているが、これに限定されず、上下方向と左右方向とに折れ曲がって延びるＬ型構造のポール５０としてもよい。例えば、予め壁面Ｗ１に例えば３つのハンガーフックＨ，Ｈ，…がそのうちの１つの位置を基準としてその上方及び水平横方向に並ぶようにそれぞれ間隔をあけて取り付けられており、これらのハンガーフックＨ，Ｈ，…にエンドブラケット（ジョイントブラケット）を取り付ける。このことで、室内壁Ｗの壁面Ｗ１に、互いに直交する上下方向及び水平方向に各々開口する２つの嵌合凹部を有するエンドブラケット（ジョイントブラケット）をハンガーフックＨにより取付固定する。このジョイントブラケットの２つの嵌合凹部と、該嵌合凹部に対応する位置にハンガーフックＨにより取付固定された２つのエンドブラケット１０，１０の嵌合凹部１６，１６との間に、２つのポールをそれぞれ嵌合させる。以上により、ハンガーフックＨにより取付施工されたＬ型構造のポール５０が得られ、手摺りＲとして用いられる。
【産業上の利用可能性】
【００８９】
本発明は、建物の美観を損なうことなく、ポール状部材の取付施工状態における外観上の見映え及び安全性の向上を図ることができるため、産業上の利用可能性が高い。
【符号の説明】
【００９０】
Ｗ      室内壁
Ｗ１    壁面
Ｗ２    取付穴
ｆ      室内床
ｆ１    床面
Ｈ      ハンガーフック
Ｉ      インサート部材
Ｆ      フック部材
Ｔ      キャットタワー
Ｒ      手摺り
２      ネジ穴（インサート係合穴部）
３      基端面（基端部）
４      ネジ部（フック係合部）
５      フック部
１０    エンドブラケット
１２    基部
１６    嵌合凹部
２０    固定ポール（分割ポール）
３０    連結ポール（分割ポール）
４０    支持ポール（分割ポール）
５０    ポール（ポール状部材）
６０    キャットステップ（棚部）
７０    アジャスター（支持部及び調整部）
【図１】
2020026636.tif 000003
【図２】
2020026636.tif 000004
【図３】
2020026636.tif 000005
【図４】
2020026636.tif 000006
【図５】
2020026636.tif 000007
【図６】
2020026636.tif 000008
【図７】
2020026636.tif 000009
【図８】
2020026636.tif 000010
【図９】
2020026636.tif 000011
【図１０】
2020026636.tif 000012
【図１１】
2020026636.tif 000013